(57)【要約】【課題】外部からの視線を遮断することが可能な前掛けおよび該前掛けを用いた携帯トイレを提供すること。【解決手段】前掛けを構成する基布の左右にそれぞれ腰紐を取り付け、基布の左右にそれぞれ切れ目を入れて手入れ口を設け、基布の裏面にポケットを設ける。ポケットには貯尿用の容器を取り付ける。【選択図】図３
2008005930.tif 000002
【特許請求の範囲】
【請求項１】
携帯トイレ用の前掛けであって、
基布と、
前記基布の左右の少なくとも一方に取り付けられた腰紐と、
前記基布に入れられた切れ目による手入れ口と、
前記基布の裏面に設けられた貯尿用又は受尿用の容器を取り付けるためのポケットと、
を備える前掛け。
【請求項２】
携帯トイレ用の前掛けであって、
基布と、
前記基布の上部に取り付けられた首紐と、
前記基布に入れられた切れ目による手入れ口と、
前記基布の裏面に設けられた貯尿用又は受尿用の容器を取り付けるためのポケットと、
を備える前掛け。
【請求項３】
前記基布には、幅方向に切れ目が入れられ、
前記幅方向の切れ目を覆うようにポケット布が縫着されていることを特徴とする請求項１または２記載の前掛け。
【請求項４】
請求項１乃至３のいずれか１項に記載の前掛けと、
該前掛けの前記ポケットに取り付けられた貯尿用又は受尿用の容器と、
を備えることを特徴とする携帯トイレ。
【請求項５】
前記容器の下部には管が接続され、
前記基布の裏面のポケットの下部には穴が穿設され、
前記管は前記穴を挿通していることを特徴とする請求項４記載の携帯トイレ。
【請求項６】
前記管の先端は、他の容器または排水口に接続されていることを特徴とする請求項５記載の携帯トイレ。
【発明の詳細な説明】
【技術分野】
【０００１】
本発明は、災害時または高層ビルの工事現場等のトイレのない場所において使用される、外部からの視線を遮断するための前掛けおよび該前掛けを用いた携帯トイレに関する。
【背景技術】
【０００２】
従来、トイレのない場所において尿意を催した場合は、遠くのトイレまで移動するか、袋状の携帯トイレを使用して、用を足していた。（例えば、特許文献１参照）。
【特許文献１】特開２００２−７８６４２号公報
【発明の開示】
【発明が解決しようとする課題】
【０００３】
しかしながら、従来の携帯トイレは、そのままでは外部からの視線を遮断することができないため、使用時には人目に触れないように物陰に移動する必要があった。
本発明の課題は、外部からの視線を遮断することが可能な前掛けおよび該前掛けを用いた携帯トイレを提供することである。
【課題を解決するための手段】
【０００４】
本発明の前掛けは、基布と、前記基布の少なくとも一方に取り付けられた腰紐と、前記基布に入れられた切れ目による手入れ口と、前記基布の裏面に設けられた貯尿用又は受尿用の容器を取り付けるためのポケットと、を備える。
【０００５】
また、前記腰紐の代わりに前記基布の上部に首紐を取り付けても良い。
本発明の前掛けを用いた携帯トイレは、前記基布の裏面のポケットに、容器が取り付けられている。
【発明の効果】
【０００６】
本発明によれば、トイレの無い場所において、外部からの視線を遮断することができ、わざわざ移動することなく用を足すことができる。
【発明を実施するための最良の形態】
【０００７】
図１Ａは、本発明の第１の実施の形態に係る前掛けの表面、図１Ｂは裏面を表す。
本実施の前掛けは、一枚の矩形状の基布１０１の左右にそれぞれ腰に巻きつけるための腰紐１０２、１０３が取り付けられ、基布１０１の上半部分の左右それぞれに高さ方向に切れ目が入れられ、手入れ口１０４、１０５が設けられている。また、表面には矩形状のポケット布が縫着されることで、ティッシュ等を入れておくための上部に開口したポケット１０６、１０７が設けられている。基布の素材としては、綿、麻、またはポリエステル等が用いられる。
【０００８】
基布１０１の裏面の下半部分の中央には矩形状のポケット布が縫着されることで、上部に開口したポケット１０８が設けられている。
図２は、貯尿用の容器の斜視図である。
【０００９】
容器２０１としては、口部が開口したプラスチック製の円筒型の容器が用いられる。また、中身が飛び出ないように口部に着脱可能な蓋が付属していることが望ましい。
図３は、貯尿用の容器を前掛けに取り付けた図である。
【００１０】
使用時には、図２の貯尿用の容器は、図３に示すように前掛けの裏面のポケット１０８に入れられる。
図４は、カバーの斜視図である。
【００１１】
図５は、カバーを容器に取り付けた時の斜視図である。
本発明の携帯トイレを複数人で使う場合には、衛生面が問題になる。そこで、容器の口部にカバーを取り付け、使用の度にカバーを取り替えることで解決する。
【００１２】
カバーは、図４に示すように円筒形または円錐形のカバー４０１が用いられる。カバーの素材としては、紙やポリエチレン等が用いられる。
このカバー４０１の上部を外側に折り曲げ、図５のように容器２０１の口部にかぶせる。使用後は外して容器の中または備え付けのゴミ箱に捨てる。このように使用の度にカバーを交換することで、衛生的になる。
【００１３】
次に使用方法について説明する。
基布１０１の裏面のポケット１０８に容器２０１を取り付け、カバー４０１を容器２０１の口部にかぶせる。
【００１４】
下半身を前掛けで覆い隠すようにし、腰紐１０２、１０３を腰に巻いて結び、前掛けを体に固定する。
手入れ口１０４、１０５より手を入れて、ズボン等を操作し、容器２０１に排尿する。通常、前掛けの端から手を入れると、前掛けの端が浮き上がってしまい、横から前掛け内部が見えてしまう。手入れ口を設け、手入れ口から手を入れることにより、横から前掛け内部が見えてしまうのを防ぐことができる。
【００１５】
用を足した後は、腰紐１０２、１０３を解き前掛けを外し、カバー４０１を捨てる。容器２０１に蓋が付属している場合は、蓋を閉める。
図６Ａは、本発明の第２の実施の形態に係る前掛けの表面、図６Ｂは裏面を表す。
【００１６】
第１の実施の形態に係る前掛けは、使用時に前掛け内部の様子が見えず、不便であった。
本発明の第２の実施の形態に係る前掛けは一枚の矩形状の基布６０１の左右にそれぞれ腰に巻きつけるための腰紐６０２、６０３が取り付けられ、基布６０１の上半部分の左右それぞれに高さ方向に切れ目が入れられ、手入れ口６０４、６０５が設けられている。また、基布６０１の表面の上半部分の中央には矩形状の大きめのポケット布が縫着され、上部に開口したポケット６０６が設けられている。このポケット布に隠れるように、基布６０１には幅方向に切れ目６０７が入れられている。
【００１７】
基布６０１の裏面の中央には、第１の実施の形態と同様にポケット６０８が取り付けられている。
使用方法は、前述の説明と同様である。
【００１８】
使用時には、幅方向の切れ目６０７から前掛け内部を見ることができ、使用時にズボン等の操作が簡単になる。また、切れ目６０７はポケット６０６に隠れるように設けられているので、上方向からのみ前掛け内部が見えるようになっており、前や横からは前掛け内部は見えない。
【００１９】
図７Ａは、本発明の第３の実施の形態に係る前掛けの表面、図７Ｂは裏面を表す。
第１および第２の実施の形態に係る前掛けを用いた携帯トイレは、容器が比較的小さく、何度か使用すると容器が満杯になるため、中の尿を捨てなければならない。
【００２０】
本発明の第３の実施の形態に係る前掛けは、表面は第１の実施の形態に係る前掛けと同様に、一枚の矩形状の基布７０１の左右にそれぞれ腰に巻きつけるための腰紐７０２、７０３が取り付けられ、基布７０１の上半部分の左右それぞれに高さ方向に切れ目が入れられ、手入れ口７０４、７０５が設けられている。また、表面には矩形状のポケット布が縫着されることで、ティッシュ等を入れておくための上部に開口したポケット７０６、７０７が設けられている。
【００２１】
基布７０１の裏面の下半部分の中央には矩形状のポケット布が縫着されることで、上部に開口したポケット７０８が設けられている。ポケット７０８の下部には穴７０９が穿設されている。
【００２２】
図８は、受尿用の容器の斜視図である。
図８の容器は、上部が開口した容器８０１の下部に管８０２が取り付けられており、容器８０１に入った液体が管８０２を通り排出されるようになっている。管としてはゴム製のホース、蛇腹状のプラスチック管などが用いられる。
【００２３】
図９は、受尿用の容器を前掛けに取り付けた図である。
図８の容器８０１を第３の実施の形態に係る前掛けに取り付けると、図９のようになり、ポケット７０８に容器８０１が入れられ、管８０２がポケットの下部に設けられた穴７０９を挿通している。管８０２の先端は、不図示の大きな容器または排水口等に接続されている。
【００２４】
これにより、容器８０１に入った尿は管８０２を通り、大きな容器または排水口に流れるため、前掛けに取り付けられた容器８０１には尿が溜まらず、容器８０１に溜まった尿を捨てる必要がなくなる。
【００２５】
第３の実施の形態に係る前掛けの表面は、第１の実施の形態に係る前掛けと同様であったが、第２の実施の形態に係る前掛けと同様であってもよく、また、他の形態でも良い。
図１０Ａは、本発明の第４の実施の形態に係る前掛けの表面、図１０Ｂは裏面を表す。
【００２６】
本発明の第４の実施の形態に係る前掛けは、一枚の基布１００１の上部に輪状の首紐１００２が取り付けられ、基布１００１の左右それぞれに高さ方向に切れ目が入れられ、手入れ口１００３、１００４が設けられている。また、表面には矩形状のポケット布が縫着されることで、ティッシュ等を入れておくための上部に開口したポケット１００５、１００６が設けられている。
【００２７】
基布１００１の裏面の中央には、第１の実施の形態と同様にポケット１００７が取り付けられている。
第４の実施の形態に係る前掛けも、他の実施の形態の前掛けと同様に、ポケット１００７に貯尿用または受尿用の容器を取り付け、携帯トイレとして使用できる。
【００２８】
また、基布１００１の形態は、第２または第３の実施の形態と同様であってもよく、他の形態でも良い。なお、他の実施の形態に係る前掛けと同様に腰紐をさらに備えても良い。
【００２９】
第４の実施の形態に係る前掛けは、首紐を首に掛けるだけで前掛けを固定でき、腰紐を用いた場合に比べて腰紐を結ぶ手間が無くなる。
以上、本発明の実施の形態を説明してきたが、本発明は以上に述べた実施の形態に限定されるものではなく、本発明の要旨を逸脱しない範囲内で種々の構成を取ることができる。例えば、腰紐を基布の左右の一方のみに取り付けても良いし、腰紐と基布とを面ファスナーやホック等の固定具により固定するようにしても良い。また、切れ目による手入れ口は、高さ方向に設けられているが、幅方向であっても良く、左右いずれか一方のみでも良い。実施の形態では、貯尿用または受尿用の容器として比較的単純な円筒状のものを示したが、その形状は、使い勝手等を考慮して、その他様々なものを採用可能であり、例えば容器の口部の形状を工夫することにより、男女兼用にすることもできる。
【図面の簡単な説明】
【００３０】
【図１Ａ】本発明の第１の実施の形態に係る前掛けの表面を表す図である。
【図１Ｂ】本発明の第１の実施の形態に係る前掛けの裏面を表す図である。
【図２】貯尿用の容器の斜視図である。
【図３】貯尿用の容器を前掛けに取り付けた図である。
【図４】カバーの斜視図である。
【図５】カバーを容器に取り付けた時の斜視図である。
【図６Ａ】本発明の第２の実施の形態に係る前掛けの表面を表す図である。
【図６Ｂ】本発明の第２の実施の形態に係る前掛けの裏面を表す図である。
【図７Ａ】本発明の第３の実施の形態に係る前掛けの表面を表す図である。
【図７Ｂ】本発明の第３の実施の形態に係る前掛けの裏面を表す図である。
【図８】受尿用の容器の斜視図である
【図９】受尿用の容器を前掛けに取り付けた図である。
【図１０Ａ】本発明の第４の実施の形態に係る前掛けの表面を表す図である。
【図１０Ｂ】本発明の第４の実施の形態に係る前掛けの裏面を表す図である。
【符号の説明】
【００３１】
１０１    基布
１０２、１０３    腰紐
１０４、１０５    手入れ口
１０６〜１０８    ポケット
２０１    容器
４０１    カバー
６０１    基布
６０２、６０３    腰紐
６０４、６０５    手入れ口
６０６    ポケット
６０７    切れ目
６０８    ポケット
７０１    基布
７０２、７０３    腰紐
７０４、７０５    手入れ口
７０６〜７０８    ポケット
７０９    穴
８０１    容器
８０２    管
１００１    基布
１００２    首紐
１００３、１００４    手入れ口
１００５〜１００８    ポケット
【図２】
2008005930.tif 000003
【図４】
2008005930.tif 000004
【図５】
2008005930.tif 000005
【図８】
2008005930.tif 000006
【図１Ａ】
2008005930.tif 000007
【図１Ｂ】
2008005930.tif 000008
【図３】
2008005930.tif 000009
【図６Ａ】
2008005930.tif 000010
【図６Ｂ】
2008005930.tif 000011
【図７Ａ】
2008005930.tif 000012
【図７Ｂ】
2008005930.tif 000013
【図９】
2008005930.tif 000014
【図１０Ａ】
2008005930.tif 000015
【図１０Ｂ】
2008005930.tif 000016